(57)【要約】  送信器（１０）と受信器（１）との間のセキュア通信のための方法であって、送信器（１０）によって送信される電力レベルの範囲、送信が発生する周波数範囲は、受信器（１）によって知られているか又は検出可能であり、送信器のための電力供給信号の受信器（１）による送信を具備し、受信器（１）は、送信の少なくとも全持続時間で送信信号を持つノイズ信号を送信し、受信器（１）は、有効信号を得るためにノイズ信号を受信される信号から引くことを特徴とする。また、本発明は、その方法に従って動作する受信装置を含む。【特許請求の範囲】
【請求項１】
送信器（１０）と受信器（１）との間のセキュア通信のための方法であって、送信器（１０）によって送信される電力レベルの範囲、送信が生じる周波数帯域は、受信器（１）によって知られているか又は検出可能であり、
−送信器に電力供給するための信号の受信器（１）による送信と、
−前記有効データ信号の搬送周波数のパラメータを変調することによって有効データ信号の送信器による送信と、を具備し、
受信器（１）は、送信器（１０）からの有効データ信号の送信の少なくとも全持続時間で、送信器（１０）によって送信されるデータ信号レベルと受信器（１）によって送信される電力レベルとの間の比率が所定値よりも大きくなるように、送信されるデータから独立し、送信が生じる周波数帯域に及ぶスペクトル帯域を有し、及び電力レベルを有するノイズ信号を送信し、
受信器（１）は、送信される有効データ信号を得るためにノイズ信号を受信される信号から減算することを特徴とする方法。
【請求項２】
受信器（１）によって送信されるノイズ信号は、受信器（１）によって送信器（１０）に電力を供給するための信号のランダム変調によって得られ、変調は、送信信号に使用されるパラメータと同一のパラメータに適用されることを特徴とする、請求項１に記載の送信器（１０）と受信器（１）との間のセキュア通信のための方法。
【請求項３】
送信信号は、予め知られるビット周期を備えたデジタル信号であり、ノイズ変調が適用されるパラメータの値のランダム抽出は、送信される信号に同期して実行されることを特徴とする請求項２に記載の送信器（１０）と受信器（１）との間のセキュア通信のための方法。
【請求項４】
ノイズ変調が適用されるパラメータの変調は、平均０を備えたガウスの法則（Ｇａｕｓｓｉａｎ  ｌａｗ）又は統一法（ｕｎｉｆｏｒｍ  ｌａｗ）に従うことを特徴とする請求項３に記載の送信器（１０）と受信器（１）との間のセキュア通信のための方法。
【請求項５】
ノイズレベルは、受信器（１）によって送信されるノイズ信号に関する知識がない場合に、所定値よりも大きいビット誤り比率を得るために、所定値に従って判断されることを特徴とする請求項１から４のうち何れかに記載の送信器（１０）と受信器（１）との間のセキュア通信のための方法。
【請求項６】
送信器（１０）の送信信号は、受信器（１）に同時に知られる既知の値のビットと、送信の他の時における未知の値のビットとのうちの、少なくとも１つの送信を含み、
既知の値を備えたビットの送信の既知の時間は、送信／受信の間における信号の歪みを評価するのに用いられ、これらの評価された歪みは、受信器によって受信される信号から減算されるノイズ信号になる実ノイズ信号を計算するための他の時間の間に使用されることを特徴とする請求項３から５のうち何れかに記載の送信器（１０）と受信器（１）との間のセキュア通信のための方法。
【請求項７】
カードの送信器（１０）に電力供給するための信号を生成するための手段（２）と、カード（１０）が持つ回路（１１〜１３）間の結合を提供するカードを受けるためのスペースと、電力供給信号を生成するための手段（２）に結合されるリーダー（１）の送信／受信手段（３）とを具備するチップカード（１０）のリーダー（１）であって、
電力供給信号を変調する、電力供給信号を変調するための手段（３１）と、
電力供給信号を変調するための前記手段（３１）に結合されるランダム信号生成器（３２）と、
受信器（１）によって受信される信号を処理するための手段（３３）であって、これらの手段（３３）は、ランダム信号生成器（３２）と、送信／受信手段（３）と、変調手段（３１）とへ結合され、これらの手段（３３）は、カードの送信器（１０）によって送信される有効信号を回復するために、送信／受信手段（３）に存在する信号と変調信号とを分離する受信器（１）によって、受信される信号を処理する、手段と
を具備することを特徴とするリーダー。
【発明の詳細な説明】
【技術分野】
【０００１】
本発明は、遠隔送信のための装置及び方法に関し、特に、（カードリーダー、ラベルリクエスタタイプ等の）固定交信局に対して、結合、例えば誘導結合によってリンクされる（カード、チケット、ラベルタイプ等の）携帯可能な物体のための装置及び方法に関する。
【０００２】
特に、本発明は、セキュア送信が提供される送信器と受信器とを含む装置を対象にする。より具体的には、これに限定しないが、本発明は、送信器がチップカードの送信器である時、及び受信器がチップカードリーダーである時の場合を専ら対象にする。
【０００３】
それは、例えば携帯可能な物体と固定交信局との間の非限定リストに従って結合することによって非接触データ交換の全分野において、及び特に、行為又は物体の識別の分野、アクセス制御、例えばコンピュータサービスの分野、又はカード料金支払いの分野において用途を見出す。
【背景技術】
【０００４】
本願に対して特許された特許ＦＲ２７７６８６５は、図１に示されるカードの送信器と受信器との間の通信システムを開示する。
【０００５】
データ交換システムは、受信器１、例えばカードリーダーと、携帯可能な物体上に設置される１つ以上の送信器１０とを含む。受信器１は、周波数生成器２、例えばロードインピーダンスｒＡと同調回路６とに直列で結合される発振器を含む。同調回路６は、容量インピーダンス５と誘導インピーダンス３とを直列に含む。例えば増幅及び処理回路８に容量結合されるダイオード７として示される検出手段を含む検出回路９は、同調回路６に並列に結合される。
【０００６】
携帯可能な物体の送信器１０は、例えば誘導コイル１２に並列に接続されるキャパシタ１３として、共振回路１９の端に接続される一連の電気回路１１を含む。
【０００７】
動作において、携帯可能な物体の送信器１０と受信回路１とは、各自の誘導ロード３、１２を介して互いに誘導結合される。
【０００８】
例えば、携帯可能な物体の送信器１０は、ソース２から遠隔で電力供給される。この場合は大抵、カードリーダーに対面（ｅｎｃｏｕｎｔｅｒ）する。
【０００９】
結合における変化は、共振回路１９に対して直列に、又は図１に示されるように並列に設置されるロードインピーダンス１８ｂを変えることによって得られる。ロードインピーダンス１８ｂにおける変化と、故に結合における変化とは、受信器１で検出される。故に、ロードインピーダンス１８ｂの値を制御することによって、送信器１０から受信器１へデータを送信することができる。
【００１０】
上記特許で説明された携帯可能な物体の送信器１０のさらに詳細な実施形態は、図２に示される。図１の例のように、携帯可能な物体の送信器１０は、キャパシタ１３が接続される端においてアンテナ１２、例えば導電コイルを形成する誘導要素を含み、それにより共振回路１９を形成する。電圧整流器１５は、図示しない処理及び記憶手段１４へ電力供給線Ｖｄｄを介して伝送される、アンテナ１２によって受信される交流電圧のＤＣ電圧への変形を提供するためにアンテナ１２の端へ並列に設置される。
【００１１】
整流器１５は、接続点１５ａ及び１５ｃを介してコイル１２の両端に接続されるＧＲＡＥＴＺブリッジである。整流器の接続点１５ｂは、携帯可能な物体の送信器１０の出力線Ｖｓｓに直接接続される。
【００１２】
整流器１５の接続点１５ｄは、変調回路１８の入力１８ｃに接続される。変調器１８は、スイッチトランジスタ１８ａ上に並列に設置される電気双極子１８ｂを含む。このスイッチ１８ａ及び双極子１８ｂの集合は、整流器１５の出力点Ｖｒと差動増幅器１６ｂの入力点Ｖｅとの間で、電力供給線Ｖｄｄ上に直列に設置される。点Ｖｓｓに対する各々のこの入力Ｖｅにおける印加電圧は、制限された電圧Ｖｄｄである。
【００１３】
変調器１８の電気双極子１８ｂは、トランジスタ１８ａが開いている時、変調器１８の点１８ｃ及び１８ｄ間における電圧降下Ｖｒ−Ｖｄｄを導入するよう選択される。トランジスタ１８ａが閉まっている時、変調器１８によって導入される電圧降下は、比較的低く、好ましくは無視できるものになる。
【００１４】
上記実施形態において、電気双極子１８ｂは、その端上の電圧が実質的に一定であるように、非線形の電流−電圧特性を備えた要素であり、携帯可能な物体の品質係数（ｑｕａｌｉｔｙ  ｃｏｅｆｆｉｃｉｅｎｔ）の変調度は、実質的に一定の値に維持されうる。
【００１５】
電気双極子１８ｂは、レジスタ又はダイオード、即ちＺＥＮＥＲダイオードでもよく、或いはゲートがドレインに接続されるトランジスタでもよい。また、電気双極子１８ｂは、直列に関連付けられる複数のダイオードに存してもよい。要素１４〜１８はともに、図１に示される電気回路１１を形成する。
【００１６】
受信器１に対する送信器１０の応答のデジタル暗号化は、受信器に知られ、受信暗号化メッセージを復号化するのに用いられる鍵を用いて知られる。
【００１７】
送信器によって送信されるデータの暗号化は、所定数の動作が実行されることを必要とする。この数は、ＲＳＡ（Ｒｉｖｅｓｔ、Ｓｈａｍｉｒ、Ａｄｌｅｍａｎ）暗号化の場合のように重要なことがある。また、所定の暗号化アルゴリズムは、ＤＰＡ（差動電力分析）攻撃によって第三者が発見しうる鍵の記憶を必要とする。
【発明の開示】
【発明が解決しようとする課題】
【００１８】
本発明の目的は、送信器が送信し受信器が受信するメッセージの検出をさらに困難にすることができる方法及び装置を提案することにある。
【００１９】
本発明の独創的な目的で、送信器は、任意の暗号化計算を実行せずに平文を送信することができる。故に、送信器のコスト及びサイズは、もはや鍵記憶手段及び暗号化手段を提供する必要が無いので、低減される。通信のセキュリティを危うくすることがある、侵入による鍵の検出の任意の危険性がもはやない。
【００２０】
また、たとえ通信が記録されても、その後続の再生は、受信器がこの複製を理解できない限り、確実である。
【００２１】
送信器と受信器との間の任意の物理的接触が無い通信の間、侵入者は、交換される信号を妨害することがある。本発明によると、受信器は、受信器のみが受信された信号を復号化できるようにそうしんきによって  送信された信号をスクランブルする。
【００２２】
本旨は、送信器によって送信された信号をスクランブルする摂動（ｐｅｒｔｕｒｂａｔｉｏｎ）を受信器が生成することである。その時、それが生成した摂動の効果を、受信された信号上で除去することにより送信器が送信する信号を回復することができる。
【００２３】
図３のダイアグラムは、基本原理を説明するものである。
【００２４】
図３において、送信器１０と受信器１との間で、チャンネルＣが実体化され、前記送信器１０が配信する信号ｓと受信器が送信するノイズ信号ｂとが通過する。信号ｓは、信号ｓの搬送周波数のパラメータ、例えば振幅、周波数又は位相を変調することによって得られるデータ信号である。ノイズｂは、送信器によって送信された信号ｓをスクランブルする。スクランブルノイズは、変調が有効信号ｓを送信するのに用いられるパラメータと同じパラメータに関する。チャンネルＣは、任意の物理的存在を有さず、送信器と受信器との間のスペースである。カードリーダーの場合において、これは、カードとリーダーとの間のデータ交換の間にカードを挿入するためのリーダーに提供されるスペースである。潜在的なスパイＥは、シグナルｓ´＋ｂ´を回復するだけであり、それは信号ｓ及びｂの変形された信号を示し、チャンネルＣを通過する。信号ｓ´及びｂ´は、例えばＲＦ波の場合における送信アンテナに起因する帯域通過フィルタリング等のような変形をそれらが受けているので、ｓ及びｂとは異なる。
【００２５】
受信器のこの目的に対して提供される手段によって送信されたノイズは、チャンネルＣにおける送信器と受信器との間で伝搬する信号ｓ´＋ｂ´を知ることのみによっては、信号ｓのオブジェクトを送信されたデータに逆に推測することが不可能である特徴を有する。
【００２６】
このため、ノイズ信号ｂは、以下の特徴を有する。
【００２７】
ノイズ信号ｂは、送信されたデータから独立である。故に、信号ｓ´＋ｂ´のみから開始して、ｓ又はｓ´に逆に推測することが不可能である。
【００２８】
そのスペクトル帯域幅は、送信器が送信する信号のそれに及ぶ。
【００２９】
ノイズ電力スペクトル密度の振幅は、信号ｓの有効帯域幅における信号のそれより大きい。信号ｓの有効帯域幅は、信号を送信するのに厳密に必要な周波数範囲である。このように、単独の帯域通過フィルターでノイズ信号を分離することができない。このため、ノイズ電力は、もはや抽出された信号上の所定の誤り比率がなく信号が抽出されることができない大きさのノイズ、即ちノイズ振幅に埋められるほどである。このため、ノイズ信号電力Ｐｂに対する信号電力Ｐｓの信号対ノイズ比率Ｓ／Ｂは、所定のレベル未満である。ノイズは、再生可能ではなく、従って通常ランダムであるのが好ましい。
【課題を解決するための手段】
【００３０】
要約すると、本発明は、送信器と受信器との間のセキュア通信のための方法であって、送信器によって送信される電力レベルの範囲、送信が生じる周波数帯域は、受信器によって知られるか又は検出可能であり、電力を送信器に供給するための信号の受信器による送信を具備し、受信器は、送信が生じる周波数帯域に及ぶスペクトル帯域と、送信器によって送信される信号レベル及び受信器によって送信される電力レベル間の比率が所定値より大きくなるような電力レベルとを備えた、送信されるデータから独立したノイズ信号を少なくとも全持続時間で送信し、受信器は、有効信号を得るためにノイズ信号を受信される信号から減算することを特徴とすること、に関する。
【００３１】
特に、本発明は、例えば送信器がチップカードで、受信器がチップカードリーダーである場合の非接触通信の分野に適応する。リーダーは、カードに電力を供給する信号を生成する。カードは、リーダーに慣例により知られ、例えばリーダーの同調回路の１つの分離周波数又は整数の倍数である、送信副搬送波周波数を有する。一般に、カードは、カードを受けるためのリーダーに提供された通信スペースに導入される。カードを導入することは、リーダーの回路における追加のインピーダンスを変化させるので、インピーダンスにおけるこの変化を検出することは、信号が送信される情報である。
【００３２】
好ましくは、受信器によって送信されるノイズ信号は、受信器によって送信器へ電力を供給する信号をランダムに変調することによって得られ、変調は、物理パラメータ、例えば位相、周波数、振幅に作用し、送信された信号において変調されるパラメータと同じである。
【００３３】
送信信号が予め知られたビット期間を備えたデジタル信号である時、送信された信号の各ビット期間とこの信号に同期するこれとにおいて、ノイズ信号の変調されたパラメータに新たなランダム値を与える点で有利である。故に、選択されたパラメータの値をランダムに引くことは、送信された信号のビット期間に同期して実行される。変調は、広域スペクトルを有するので、スクランブルノイズのスペクトル帯域幅が送信信号のスペクトル帯域幅よりも広く、電力密度が送信信号の搬送周波数の近傍で比較的高いことは明らかである。
【００３４】
好ましくは、変調されたパラメータは、ゼロの平均を備えたガウスの法則又は統一法に従うランダム変数である。故に、送信器へ受信器によって送信された電力を変化させることは、回避される。
【００３５】
好ましくは、ノイズ電力レベルは、信号を検出することを試みる侵入者の場合である、受信器によって送信されたノイズ信号に関する任意の知識がない状態で、所定値よりも大きいビット誤り比率を得るために所定値に従って判断される。送信器の送信信号が既知の時間で既知の値を備えたビットの少なくとも１つの送信を含む時、本発明の有利な代替の方法に従って、既知の値の送信時間は、送信／受信の間に信号によって受けた歪みを評価するのに用いられる。
【００３６】
他の受信期間の間、実ノイズ信号は、先に評価された歪みを用いて計算される。その時、この計算されたノイズ信号は、受信された信号から減算される。
【００３７】
また、本発明は、カードの送信器、例えば遠隔の発振器に電力を供給するための信号を生成するための手段と、カードが持つ回路間の結合を提供するカードを受けるためのスペースと、電力供給信号を生成するための手段に結合されたリーダーの送信／受信手段とを含むチップカードリーダー装置であって、受信器は、電力供給信号を変調する電力供給信号を変調するための手段と、電力供給信号を変調するための前記手段に結合されるランダム信号生成器と、送信／受信手段上に存在する信号を処理するための手段とを含み、これらの手段は、ランダム信号生成器と送信／受信手段と変調手段とに結合され、送信／受信手段上に存在する信号から変調信号を減算するためにアンテナ手段と変調手段とに結合される減算手段と、有効信号を検出するために減算手段に結合される検出手段とを含むことに関する。
【００３８】
代替の実施形態において、送信／受信手段上に存在する信号を処理するための手段は、独自の位置に従って、変調信号が、送信／受信手段上に存在する信号から、上記のように減算されることができ、又は有効信号の既知のイメージが、送信／受信手段上に存在する信号から減算されることができるスイッチ手段を含む。
【発明を実施するための最良の形態】
【００３９】
従来技術の図と本発明の図とにおいて、同一の参照番号は、同一の機能を備えた要素を指定する。
【００４０】
本発明に従う方法の第１実施形態は、送信器によって送信される信号ｓの変調が二相位相変調（ＢＰＳＫ）である場合について、以下に説明される。
【００４１】
送信器によって送信される信号ｓの搬送周波数をｆｐとし、１ビットの持続時間をＴとし（ｆｐ＞＞１／Ｔ）、搬送周波数の振幅をＶとする。信号電力スペクトル密度Γ（ｆ）は、以下のようになる。
【００４２】
【数１】
2008515261.tif 000002
【００４３】
この式で、ｓiｎｃは、以下の定義に従うカーディナルｓｉｎｅを示す。
【００４４】
【数２】
2008515261.tif 000003
【００４５】
信号によって使用される周波数帯域は、２／Ｔの幅を有し、ｆｐを中心とする。ここで、ノイズｂ（ｔ）の式を仮定すると、以下のようになる。
【００４６】
【数３】
2008515261.tif 000004
【００４７】
但し
【００４８】
【数４】
2008515261.tif 000005
【００４９】
ここで、ｂｋは、平均０及び分散１を備えたガウスランダム変数であり、σは、ノイズレベルを調整するための定数である。
【００５０】
このノイズは、基本帯域においてシンボルにガウスノイズを追加することに相当する。
【００５１】
このノイズの電力スペクトル拡散（ＰＳＤ）Γｂ（ｆ）は、以下のようになる。
【００５２】
【数５】
2008515261.tif 000006
【００５３】
ノイズは、振幅変調のランダムシーケンスに相当する。信号に追加されるこのノイズは、送信される信号の振幅をマスクする。
【００５４】
故に、Ｖがσに置換えられることを除いて、信号ｓに対するものと同じＰＳＤを有する。故に、ノイズスペクトル帯域は、信号のそれと実質的に同じである。
【００５５】
最小係数σは、スクランブルが有効であることについて判断されないままである。
【００５６】
送信ビット数に対する各誤り受信ビット数（ビット誤り比率、即ちＢＥＲ）、対信号対ノイズ比率Ｖ２／σ２（ノイズ電力上の信号電力の比率）を本質的に与える理論曲線は、図４に図示される。ＢＥＲは、縦座標にプロットされ、ＤＢでの信号／ノイズ比率値は、横座標にプロットされる。送信されるべきノイズ電力は、所望の誤り比率を得るためにこの曲線から推論される。
【００５７】
故に、誤り比率が０．３より大きいことが望まれる場合、信号対ノイズ比率は、−５．７ｄＢ未満になるべきである（ノイズ電力は、その信号より３．７倍大きい）。従って、Ｖ＝１ボルトの場合、σはルート３．７≒１．９ボルトになるべきである。
【００５８】
一般に、ノイズ電力レベルは、受信器によって送信されるノイズ信号を知らない場合に所定値より大きいビット誤り比率を得るために所定値に従って判断されるのが好ましい。
【００５９】
ノイズが２つの類似の受信器によって再現可能ではないように、それは、ランダムであるのが好ましい。
【００６０】
ノイズを生成することは、同じノイズが第三者によって生成されるのを防ぐために、ランダム現象、例えばトランジスタの機能におけるノイズを用いて実行される。
【００６１】
その時、２つの同じように製造された受信器は、このノイズが例において熱ノイズであることによって、同じノイズ信号を生成しないことが明らかである。これは、ノイズ生成ソースにおいて、外部の世界に依存する実質的なランダム現象でなければならないことを意味する。
【００６２】
ノイズが予測不可能であるために、及び将来のノイズだけが過去のノイズに依存するために、疑似ランダム現象を提供する論理回路が使用されるべきではないが、むしろトランジスタの熱ノイズのような物理的発生源の信号が使用されるべきである。実際、使用される通信プロトコルによると、送信器によって送信される信号ｓは、所定間隔で知ることができ、将来のノイズが過去のノイズに依存しただけの場合、その時これらの期間のノイズと後続の全体のノイズ連鎖とは、これから推論されることができる。
【００６３】
ここで、送信される信号を回復するために受信器によってノイズを除去するための方法が検討される。
【００６４】
受信器によるその送信と受信器の検出回路によるその受信との間で、ノイズ信号は、図５に示されるように電子機器と送信チャンネルＣとによって各種畳み込みを受ける。この図は、送信器１０、チャンネルＣ及び受信器１を概略的に示す。受信器１は、ノイズｂの送信器２２とノイズｂ´及び信号ｓ´の受信器２３とを含み、各々は、チャンネルＣにおける畳み込みＨ１によるノイズｂの変換と、チャンネルＣにおける畳み込みＨ１による信号ｓの変換である。簡略化のため、ノイズの全ての畳み込みは、チャンネルにおける単独の畳み込みＨ２に低減される。
【００６５】
受信器がｂを知ることによってｂ´を除去できるように、それは、畳み込みＨ２を仮定しなければならない。例えば、この仮定は、通信の初期段階の間に実行されてもよい。
【００６６】
通信が非接触であるように、フィルターＨ２は、通信の間に変化しうる。故に、通信の間のこのフィルターの変化は、追跡されるのが好ましい。
【００６７】
ここで、本発明の特定のハードウェア実施形態が、図６を参照して説明される。図６は、図１に示されるような受信／送信器システムの機能ブロック図を示す。受信器は、本発明を適用するために改善される。図１に示される回路について、検出回路７〜９は、ノイズｂ´及び有効信号ｓ´を分離するためのモジュール３３に置き換えられる。また、回路は、送信器用の電源周波数を変調するための回路３１と、受信器のノイズと送信器によって送信される有効信号とを分離するための手段３３と、ランダム信号生成器３２とを含む。受信器のノイズと送信器によって送信される有効信号とを分離するための手段３３は、一方では、それがこの回路３１によって生成される変調信号を受信するように変調回路３１に接続され、他方では、受信回路のポイント３４に接続され、そこでは、送信器１０によって送信され、受信器１のアンテナ３で磁気結合することによって受信される信号が存在する。アンテナ３３によって生まれる信号は、ノイズ信号と有効信号との結合を示し、受信器１によって受信される。
【００６８】
受信器のノイズと有効信号とを分離するための手段３３は、ランダム信号生成器に結合される。この接続を用いて、受信器１において送信回路を持つカードの導入に起因する同調回路６のインピーダンスにおける変化は、ランダム信号生成器３２に検出され送信される。ランダム信号生成器３２は、受信器のノイズと有効信号とを分離するための手段３３に結合される。
【００６９】
動作は、以下のようである。送信器１０を持つカードがリーダー１においてこの目的のために確保されるスペースに導入される時、それは、手段３３によって検出される同調回路６のインピーダンスにおける変化を生む。この検出は、ランダムノイズ生成器３２を有効にするための信号を手段３３に送信させる。ランダムノイズ生成器３２によって生成されるランダムノイズは、変調回路３１によって受信され、搬送周波数生成器２によって送信される搬送周波数を変調するために、この回路によって使用される。この変調は、ロードｒＡ４に加えて共振回路６をロードする抵抗ｒｓの値の変調の、図６に示されるような形式を仮定することができる。この場合は、振幅変調に相当する。送信器１０によって送信される信号が位相変調又は周波数変調される場合、変調器３１の出力３４は、それぞれ位相又は周波数変調回路に適用される。そのような位相又は周波数変調回路は、本質的に知られている。ランダムノイズは、先に説明したように、有効信号を埋める（ｂｕｒｙ）ために十分なレベルへチャンネルＣに存在する信号／ノイズ比率を上げるのに十分である。手段３３は、変調回路３１からのノイズとアンテナ３上に存在するスクランブル有効信号ｓ´＋ｂ´とを示す変調を受信し、例えば減算によって有効信号からノイズを分離し、出力３５へ有効信号ｓを配信する。
【００７０】
図示した例において、エミッター１０は、遠隔電源非接触カードであり、受信器１は、ＲＦ波カードリーダーであり、受信周波数は、ｆｃ＝１３．５６ＭＨｚである。目的は、カードの送信器１０の送信をスクランブルすることである。送信器１０／受信器１システムは、任意の密接な接触がなく、チップカードのＩＳＯ１４４４３標準によって定義されるプロトコルに従って本質的に知られる方法で動作する。
【００７１】
参考として、この標準によると、最小２進比率は、ｆｃ／１２８（〜１０６ｋｂｉｔ／ｓ）である。
【００７２】
カードの送信器１０は、例えば図２に示された従来技術に関連して先に説明したように、ロード変調によってリーダー１へ情報を送信する。なお、リーダー１は、非変調されたｆｃ＝１３．５６ＭＨｚ信号を送信する。この信号は、周波数生成器２、例えば発振器２によって生成される信号を受信するアンテナによって生成される。カードの送信器１０は、そのロードを変調することによって周波数ｆｓ＝ｆｃ／１６＝８４７．５ｋＨｚの副搬送波を生成する。
【００７３】
副搬送波は、ＢＰＳＫ変調され、１ビットは、副搬送波の８周期に相当する。
【００７４】
カードの送信器１０は、期間ＴＲ１の間に位相Φ０の副搬送波からその送信を開始する。この位相Φ０は、＜＜１＞＞に相当する。位相Φ０＋１８０°は、＜＜０＞＞に相当する。
【００７５】
生成器３２によって生成されるノイズは、副搬送波の位相の検出を防ぐものである。有効信号ｓを生成するためにカード１０のロード１８ｂの変調が振幅変調を誘発することを仮定する。この変調は、図２及び６に示される抵抗１８ｂにおける変化によって誘発される。本発明による受信器１は、周波数ｆｓ＝ｆｃ／１６＝８４７．５ｋＨｚの矩形信号とランダム振幅（また、負の値を仮定しうる振幅）とを備えた振幅で１３．５６ＭＨｚ搬送波を変調する。副搬送波ｆｓ＝ｆｃ／１６の振幅は、ビットがランダム信号生成器３２によって送信される毎にランダムに引かれる。
【００７６】
故に、生成されるノイズは、有効信号と同じスペクトル帯域を占める。副搬送波の代数的振幅は、ガウスの法則に従うと仮定した場合、この振幅の変化は、３０％より高いビット誤り比率を有するために、図４に関連して先に説明されたように選択される。ノイズの変調指数の変化は、信号の変調指数の２乗の３．７倍よりも高くなるはずである。参考として、ノイズの変調指数は、所定の搬送振幅のための副搬送波の振幅に比例する。
【００７７】
ここで、結果についての説明は、図７に関連して与えられる。この図は、信号時間図を示す。それは、Ａ〜Ｄを含む。
【００７８】
図７Ａは、送信カード１０によって送信される有効信号ｓを示す。これは、論理値１及び０を仮定するインパルス信号である。
【００７９】
図７Ｂは、スクランブルがない場合、受信器のアンテナ３における電流を示す。変調がＢＰＳＫ変調であるため、信号は、副搬送波の位相によってここで運ばれる＜＜ｃａｒｒｉｅｄ＞＞。先に説明したように、位相Φ０は、＜＜１＞＞に相当し、位相Φ０＋１８０°は、＜＜０＞＞に相当する。
【００８０】
図７Ｃは、ランダム信号生成器３２によって制御される変調回路３１が生成するノイズを示す。
【００８１】
最後に、図７Ｄは、ノイズの、及び有効信号の存在下で、アンテナにおける電流を示す。
【００８２】
図７のグラフのシミュレーションプロットに対して、生成されるノイズの変調指数の変化は、（１０％）２であり、ここで、ノイズレス受信信号の変調指数は、約１％であった。リーダー１から送信器１０を持つカードまでのシミュレーション距離は、約４ｃｍであった。故に、信号対ノイズ比率は、約４５％のビット誤り比率に相当する−２０ｄＢであった。
【００８３】
アンテナ３に存在する電磁場は、リーダー１及びカード１０によって生成される場がもたらした場である。リーダー１によって生成されるノイズ場は、カード１の有効信号によって生成される場よりかなり大きい。結果として生じる場において、送信されるべきデータを持つ有効信号は、ノイズ信号によってマスクされる。
【００８４】
しかし、リーダーとカードとの間の距離に対して比較的カードからかなり近い距離に自分自身を置くことによって、カードによって生成される場は、支配的になる点に留意すべきである。しかし、その性質によって、カードは、使用される時に動いており、リーダー１の動作スペースにおける任意の場所で発見されうる。その結果として、故に、リーダーよりもカードにかなり近くにスパイ装置を置くことが不可能になる。
【００８５】
ノイズ及び有効信号の結合信号ｓ´＋ｂ´からノイズｂ´を減算するために、先に説明したＨ２フィルターを仮定することを避けることができる。１ビットの期間にわたって、ノイズは、以下の信号に比例する。
【００８６】
【数６】
2008515261.tif 000007
【００８７】
ここで、ｃ（ｔ）は、周期１／ｆｓで、＋１から−１まで変化する周期的矩形信号である。定数τは、初期時に依存する。故に、１つは以下を有する。
【００８８】
【数７】
2008515261.tif 000008
【００８９】
ここで、Ｋは、−ａと＋ａとの間の均一な確率密度を備えたランダム数である。例えば、搬送波が１Ｖの非変調振幅を有する場合、その時ａ＝０．２Ｖは、２０％の変調指数を有するために選択される。
【００９０】
数Ｋは、カードの送信器１０によって送信されるビット毎にランダム信号生成器３２でランダムに引かれ、リーダー及びそれのみへ知られる。なぜなら、それは、手段３３で受信されるからである。
【００９１】
リーダー１によって送信されるノイズ信号の振幅の平均値は、ノイズによって誘発される振幅シフトの平均値が０であるため、時間にわたって一定である。故に、遠隔で電力供給されるべきそれのためにカード１０の電圧を調節するためのパラメータに対するこのノイズの影響は、第１近似において無視されうる。この場合、システムは、線形である。
【００９２】
故に、システムの線形性によって、リーダーに戻るそれについて、ノイズは以下のようである。
【００９３】
【数８】
2008515261.tif 000009
【００９４】
故に、ｂ０´（ｔ）の知識は、ノイズを減算することに成功するために十分である。
【００９５】
受信器は、サンプリング周波数ｆｅで信号をデジタル化する。以下の初期化シーケンスで、基準ノイズは、記録されうる。
【００９６】
・少なくとも１ビット（Ｋ＝０）に対してノイズはなく、信号が記録される。
・少なくとも１ビットに対してＫ＝Ｋ０であり、カードの送信器１０は、先の段階と同じビットを送信する。先の段階のうち１つによってこの受信される信号の減算が実行され、全てがＫ０で除される。故に、基準ノイズが得られ、記憶される。
【００９７】
このシーケンスは、先に説明した期間ＴＲ１の間に実行されうる。
【００９８】
次に、Ｋを知るリーダーについて、ノイズの減算は、例えばノイズ信号の位相反転によって、Ｋによる乗算によって、及び結合信号への加算によって実行される。この方法は、実行されるべき限定された数の動作を有する点で有利である。
【００９９】
図８は、結合信号、ノイズ、そして有効信号の処理の間に存在する各種信号の時間ダイアグラムを示す。それは、Ａ〜Ｅを含む。
【０１００】
図８Ａにおいて、カード１０によって送信される有効信号が示される。
【０１０１】
図８Ｂにおいて、リーダー１のアンテナに存在する電流は、受信器１によって送信されるノイズがない状態で示される。
【０１０２】
図８Ｃにおいて、リーダー１のアンテナ３に存在する電流は、受信器１によって送信されるノイズが存在する状態で示される。
【０１０３】
図８Ｄにおいて、ノイズの減算の後にアンテナ３の信号を処理するための手段３３に存在する信号が示される。
【０１０４】
図８Ｅにおいて、図８Ｂで示されたノイズレス信号とノイズ除去信号、即ち図８Ｄで示したように減算されたもののノイズとの間の差分信号が示される。
【０１０５】
図８において、図８Ｂで示されたノイズレス信号と、図８Ｄで示されたノイズを減算したノイズ信号とを比較することができる。この差は、図８Ｅに示される。使用されたサンプリング周波数は、４Ｘｆｃである。各ビットの初めにおいて、差がかなりあるが、それは、急速に減少する。この差は、連続的なペアの間のインタフェースに起因する（ビット；ノイズ）（システムの全応答時間）。レベルが安定化される時、即ちビットの開始直後に、残余のノイズは、それが含む変調指数が０．１％未満になるように振幅を有する。これは、曲線ｅについて、各ビットの初めにおける差分信号が、１ビットの持続時間の約１／５の後にほぼ０に戻される比較的大きな振幅を有するという事実によって表される。
【０１０６】
通信中、基準ノイズは、リーダー１に対して相対的なカード１０の動きとともに変化し、故に、記録は、適合されなければならない。ＩＳＯ１４４４３標準で説明されたプロトコルは、各バイトが、０にセットされたビットと１にセットされたビットとで囲まれることを提供する。これらの知られたビットは、記録された基準ノイズを更新するのに用いることができる。
【図面の簡単な説明】
【０１０７】
【図１】図１は、送信されるデータ信号の送信器による暗号化によって通信のセキュリティが得られる従来技術から知られるトランシーバ装置の例示的な実施形態を示す図である。
【図２】図２は、従来技術から知られる送信器の図１の実施形態よりさらに詳細で例示的な実施形態を示す図である。
【図３】図３は、本発明が基づく原理を説明することを意図するダイアグラムを示す図である。
【図４】図４は、送信されたビット数に対する各々の誤り受信ビット数の平均値対ノイズ電力上の信号電力の比率を与える理論曲線を示す図である。
【図５】図５は、送信器と前記受信器との間で送信チャンネルにおいて受信器が送信する送信信号とノイズとによって受ける変形を説明することを意図したダイアグラムを示す図である。
【図６】図６は、送信器を対象にした電力供給周波数を変調するための手段と、受信器のノイズと送信器が送信する有効信号とを分離するための手段とを含む受信器の機能ブロックを示す図である。
【図７Ａ】図７Ａは、信号の時間ダイアグラムを示し、送信器が送信する有効信号ｓを示す図である。
【図７Ｂ】図７Ｂは、信号の時間ダイアグラムを示し、スクランブルがない状態で受信器のアンテナ３における電流を示す図である。
【図７Ｃ】図７Ｃは、信号の時間ダイアグラムを示し、受信器の変調回路によって生成されるノイズを示す図である。
【図７Ｄ】図７Ｄは、信号の時間ダイアグラムを示し、ノイズの及び有効信号の存在下で受信器のアンテナにおける電流を最終的に示す図である。
【図８Ａ】図８Ａは、ノイズ及び有効信号の結合信号の処理中に存在する各種信号の時間ダイアグラムを示し、送信器が送信する有効信号を示す図である。
【図８Ｂ】図８Ｂは、ノイズ及び有効信号の結合信号の処理中に存在する各種信号の時間ダイアグラムを示し、受信器が送信するノイズがない状態でリーダーのアンテナに存在する電流を示す図である。
【図８Ｃ】図８Ｃは、ノイズ及び有効信号の結合信号の処理中に存在する各種信号の時間ダイアグラムを示し、受信器が送信するノイズが存在する状態でリーダーのアンテナに存在する電流を示す図である。
【図８Ｄ】図８Ｄは、ノイズ及び有効信号の結合信号の処理中に存在する各種信号の時間ダイアグラムを示し、ノイズを減算した後に受信器のアンテナの信号を処理するための手段に存在する信号を示す図である。
【図８Ｅ】図８Ｅは、ノイズ及び有効信号の結合信号の処理中に存在する各種信号の時間ダイアグラムを示し、図８Ｄに示したように、図８Ｄで示されたノイズレス信号と、ノイズ除去信号、即ち減算されたノイズとの間の各種信号を示す図である。
【符号の説明】
【０１０８】
１０  送信器
１１  電気回路
１２  誘導ロード
１９  共振回路
３１  変調回路
３２  ランダム信号生成器
３３  アンテナ
３４  ポイント
【図１】
2008515261.tif 000010
【図２】
2008515261.tif 000011
【図３】
2008515261.tif 000012
【図４】
2008515261.tif 000013
【図５】
2008515261.tif 000014
【図６】
2008515261.tif 000015
【図７ａ】
2008515261.tif 000016
【図７ｂ】
2008515261.tif 000017
【図７ｃ】
2008515261.tif 000018
【図７ｄ】
2008515261.tif 000019
【図８ａ】
2008515261.tif 000020
【図８ｂ】
2008515261.tif 000021
【図８ｃ】
2008515261.tif 000022
【図８ｄ】
2008515261.tif 000023
【図８ｅ】
2008515261.tif 000024
【手続補正書】
【提出日】平成18年3月25日(2006.3.25)
【手続補正１】
【補正対象書類名】特許請求の範囲
【補正対象項目名】全文
【補正方法】変更
【補正の内容】
【特許請求の範囲】
【請求項１】
送信器（１０）と受信器（１）との間のセキュア通信のための方法であって、送信器（１０）によって送信される電力レベルの範囲、送信が生じる周波数帯域は、受信器（１）によって知られているか又は検出可能であり、
−送信器に電力供給するための信号の受信器（１）による送信と、
−前記有効データ信号の搬送周波数のパラメータを変調することによって有効データ信号の送信器による送信と、を具備し、
受信器（１）は、送信器（１０）からの有効データ信号の送信の少なくとも全持続時間で、送信器（１０）によって送信されるデータ信号レベルと受信器（１）によって送信される電力レベルとの間の比率が所定値よりも大きくなるように、送信されるデータから独立し、送信が生じる周波数帯域に及ぶスペクトル帯域を有し、及び電力レベルを有するノイズ信号を送信し、
受信器（１）は、送信される有効データ信号を得るためにノイズ信号を受信される信号から減算することを特徴とする方法。
【請求項２】
受信器（１）によって送信されるノイズ信号は、受信器（１）によって送信器（１０）に電力を供給するための信号のランダム変調によって得られ、変調は、送信信号に使用されるパラメータと同一のパラメータに適用されることを特徴とする、請求項１に記載の送信器（１０）と受信器（１）との間のセキュア通信のための方法。
【請求項３】
送信信号は、予め知られるビット周期を備えたデジタル信号であり、ノイズ変調が適用されるパラメータの値のランダム抽出は、送信される信号に同期して実行されることを特徴とする請求項２に記載の送信器（１０）と受信器（１）との間のセキュア通信のための方法。
【請求項４】
ノイズ変調が適用されるパラメータの変調は、平均０を備えたガウスの法則（Ｇａｕｓｓｉａｎ  ｌａｗ）又は統一法（ｕｎｉｆｏｒｍ  ｌａｗ）に従うことを特徴とする請求項３に記載の送信器（１０）と受信器（１）との間のセキュア通信のための方法。
【請求項５】
ノイズレベルは、受信器（１）によって送信されるノイズ信号に関する知識がない場合に、所定値よりも大きいビット誤り比率を得るために、所定値に従って判断されることを特徴とする請求項１から４のうち何れかに記載の送信器（１０）と受信器（１）との間のセキュア通信のための方法。
【請求項６】
送信器（１０）の送信信号は、受信器（１）に同時に知られる既知の値のビットと、送信の他の時における未知の値のビットとのうちの、少なくとも１つの送信を含み、
既知の値を備えたビットの送信の既知の時間は、送信／受信の間における信号の歪みを評価するのに用いられ、これらの評価された歪みは、受信器によって受信される信号から減算されるノイズ信号になる実ノイズ信号を計算するための他の時間の間に使用されることを特徴とする請求項３から５のうち何れかに記載の送信器（１０）と受信器（１）との間のセキュア通信のための方法。
【請求項７】
カードの送信器（１０）に電力供給するための信号を生成するための手段（２）と、カード（１０）が持つ回路（１１〜１３）間の結合を提供するカードを受けるためのスペースと、電力供給信号を生成するための手段（２）に結合されるリーダー（１）の送信／受信手段（３）とを具備するチップカード（１０）のリーダー（１）であって、
電力供給信号を変調する、電力供給信号を変調するための手段（３１）と、
電力供給信号を変調するための前記手段（３１）に結合されるランダム信号生成器（３２）と、
受信器（１）によって受信される信号を処理するための手段（３３）であって、これらの手段（３３）は、ランダム信号生成器（３２）と、送信／受信手段（３）と、変調手段（３１）とへ結合され、これらの手段（３３）は、カードの送信器（１０）によって送信される有効信号を回復するために、送信／受信手段（３）に存在する信号と変調信号とを分離する受信器（１）によって、受信される信号を処理する、手段と
を具備することを特徴とするリーダー。
【国際調査報告】
2008515261.tif 000025
2008515261.tif 000026
2008515261.tif 000027
2008515261.tif 000028